(57)【特許請求の範囲】
【請求項１】
空気中の水分を吸着する吸湿体と、前記吸湿体に吸着した水分を離脱させるための気体を加熱する加熱手段と、前記吸湿体に外部から空気を供給する送風手段とを備え、前記吸湿体が回転移動することにより水分の吸着と離脱とを繰返し、連続的に除湿を行なう除湿機であって、
前記加熱手段および前記送風手段の運転条件を比較的除湿能力の高い条件である第１の条件から相対的に除湿能力の低い条件である第２の条件に変更する際、前記加熱手段の運転条件設定値を前記第１の条件に対応する値から前記第２の条件に対応する値へ変更した後、前記送風手段による空気の供給量を前記第１の条件に対応する値に所定の時間維持してから、前記送風手段による空気の供給量を前記第２の条件に対応する値へと変更する制御手段を備える、除湿機。
【請求項２】
前記吸湿体に供給された後、前記除湿機の外部に排出される前記空気の温度を測定する温度測定手段をさらに備え、
前記制御手段は、前記加熱手段の運転条件設定値が変更された時点から、前記送風手段での空気の供給量が変更される時点までの時間を、前記温度測定手段により測定される前記空気の温度の測定値に基づいて決定する決定手段を含む、請求項１に記載の除湿機。
【請求項３】
前記決定手段は、前記温度測定手段により測定される前記空気の温度の測定値が前記空気の温度の基準値とほぼ等しくなる時点を、前記送風手段での空気の供給量が変更される時点として選択する手段を含む、請求項２に記載の除湿機。
【請求項４】
前記加熱手段の運転条件設定値における前記第２の条件に対応する値は、前記第１の条件に対応する値より小さく、
前記送風手段による空気の供給量における前記第２の条件に対応する値は、前記第１の条件に対応する値より小さい、請求項１〜３のいずれか１項に記載の除湿機。
【発明の詳細な説明】
【０００１】
【発明の属する技術分野】
この発明は除湿機に関し、より特定的には、除湿機内部の過加熱を防止することが可能な除湿機に関する。
【０００２】
【従来の技術】
従来、回転式除湿材を備えた乾式除湿機が知られている。図１４は、従来の乾式除湿機の構成を示す模式図であり、図１５は、図１４に示した乾式除湿機の制御ブロック図である。図１４および１５を参照して、従来の除湿機を説明する。
【０００３】
図１４を参照して、除湿機は除湿ロータ１１５と除湿ファン１１０と再生ファン１１２と再生ヒータ１１３と凝縮器１１８とを備える。除湿ロータ１１５は平面シートに片波成形体を接合したハニカムロータの表面や内部に吸湿剤を保持させたものである。この吸湿剤としてはたとえばゼオライトを用いることができる。ゼオライトは潮解現象を起こさず、結晶質で安定した細孔構造を有する。このため、ゼオライトは水分を吸着させた際に劣化の度合いが小さい。したがって、吸湿剤としてゼオライトを用いれば、長期間安定して吸湿作用を発揮させることができる。
【０００４】
除湿機においては、この除湿ロータ１１５に除湿機の外部から除湿対象である被除湿空気１１６を導入してその空気中の水分を除湿ロータ１１５の吸湿剤に吸着させる。したがって、除湿機の内部に被除湿空気１１６としての外気を導入すため、除湿ファン１１０が設置されている。この除湿ファン１１０が作動することにより、被除湿空気１１６が除湿機の内部へと導入される。この際、まず除湿機に設置されたフィルタ１１７により被除湿空気１１６に含まれる比較的サイズの大きなごみなどが除去される。
【０００５】
次に、被除湿空気１１６は凝縮器１１８を通過する。ここで、後で述べるように凝縮器１１８内部には暖かく湿った再生空気が導入されている。このため、この被除湿空気１１６が凝縮器１１８を通過することにより、この凝縮器１１８の内部に導入された再生空気を冷却することができる。このように冷却された再生空気からは結露水１２１が分離される。そして、凝縮器１１８の内部から結露水１２１は配管を通って受水タンク１２２へと導かれる。
【０００６】
凝縮器１１８を通過した被除湿空気１１６は除湿ロータ１１５へと導かれる。この除湿ロータ１１５において、被除湿空気１１６に含有されていた水分が除湿ロータ１１５に配置された吸湿剤に吸着される。この結果、被除湿空気１１６から水分が除去される。このように水分が除去された被除湿空気１１６は、この除湿ロータ１１５の下流側においては乾燥空気１１９となっている。この乾燥空気１１９は、除湿ロータ１１５の下流側に配置された熱回収用熱交換器１２０に導かれる。この熱回収用熱交換器１２０において乾燥空気１１９の熱が回収される。その後、乾燥空気１１９は除湿機の内部から外部へと排出される。
【０００７】
水分を吸着した除湿ロータ１１５の吸湿剤を再生させるため、再生ヒータ１１３において再生空気を加熱する。加熱温度はたとえば２００℃以上２５０℃以下とすることができる。再生ヒータ１１３には、再生ファン１１２が動作することにより熱回収用熱交換器１２０によりある程度加熱された再生空気が供給される。そして、再生ヒータ１１３においてさらに加熱された再生空気は、再生ファン１１２が動作し続けることにより図中白抜きの矢印の方向に移動する。すなわち、再生ヒータ１１３において加熱された再生空気は導管路を通って図中白抜きの矢印に示すように除湿ロータ１１５の再生部１２７へと供給される。
【０００８】
除湿ロータ１１５の再生部１２７において、再生ヒータ１１３により加熱された再生空気は除湿ロータ１１５の吸湿剤を加熱することになる。このようにして、除湿ロータ１１５の吸湿剤から水分が除去される。また、この結果再生空気は暖かく湿った空気となる。
【０００９】
そして、再生空気は除湿ロータ１１５の再生部１２７から凝縮器１１８へと供給される。この凝縮器１１８において、既に述べたように被除湿空気１６によって再生空気が冷却される。このため、凝縮器１１８の内部では再生空気から水分が結露する。この結果凝縮器１８の内部において結露水１２１が発生する。
【００１０】
受水タンク１２２に導かれた結露水１２１は、揚水ポンプ１２３により揚水チューブ１２４を介して貯水タンク１２５へと搬送される。この受水タンク１２２においては、受水タンク１２２中の水位を検出する水位検出手段が設置されている。そして、受水タンク１２２内部の水位が所定の水位となった場合、受水タンク１２２中の水を上述のように揚水ポンプ１２３を動作させることにより貯水タンク１２５へと排出する。
【００１１】
除湿ロータ１１５はロータモータ１１１（図１５参照）により回転可能となっている。除湿ロータ１１５が回転することにより、被除湿空気１１６が通過する除湿ロータ１１５の除湿部１２６に位置する除湿ロータ部分は、除湿部１２６から再生部１２７へと回転移動する。そして、この再生部１２７において上述のように再生ヒータ１１３によって加熱された再生空気が吹付けられる。この結果、吸湿剤から水分が除去されることにより再生される。そして、再生された除湿剤を保持した除湿ロータ部分は、また回転移動することにより除湿部１２６へと移動する。この結果、除湿ロータ１１５上の吸湿剤は水分の吸着と放出（再生）とを繰返し、連続的に除湿を行なうことが可能になる。
【００１２】
また、除湿ロータ１１５の吸湿剤を再生するために用いられた再生空気は、再生ヒータ１１３から除湿ロータ１１５の再生部１２７を介して凝縮器１１８へと導入される。そして、すでに述べたように凝縮器１１８において水分を除去された後（乾燥された後）、管路を介して熱回収用熱交換器１２０へと導入される。除湿ロータ１１５の除湿部１２６を通過した乾燥空気１１９は熱回収用熱交換器１２０を介して流通している。
【００１３】
ここで、除湿ロータ１１５の再生部１２７には、再生ヒータ１１３により加熱された再生空気が吹付けられている。この結果、再生部１２７に位置する除湿ロータ部分は再生空気によりある程度加熱された状態となる。また、この加熱された除湿ロータ部分が除湿部１２６にまで到達した際、この除湿ロータ部分の温度はある程度高い状態となっている。このようにある程度高い温度となっている除湿ロータ部分を被除湿空気１１６が通過するので、除湿後の乾燥空気１１９はこの除湿ロータ１１５によって暖められることにより乾燥空気１１９の温度は上昇する。そして、熱回収用熱交換器１２０において、このように温度が上昇した乾燥空気１１９の熱を再生空気へと伝達する。このように再生空気の温度を予め上昇させることにより、再生ヒータ１１３における消費電力を低減することができる。なお、再生ファン１１２を動作させることにより、再生空気は閉回路を構成する管路中を図１４に示した白抜きの矢印の方向に循環している。
【００１４】
図１５を参照して、除湿機は、除湿機の運転を制御するための制御手段１０１を備える。制御手段１０１は運転モード判定手段１０２とタイマ１０４とを含む。運転モード判定手段１０２には、運転スイッチ１０５、連続除湿スイッチ１０６、自動除湿スイッチ１０７および温度センサ１０８が接続されている。後述するように、これらの運転スイッチ１０５、連続除湿スイッチ１０６、自動除湿スイッチ１０７および温度センサ１０８からの入力信号に基づいて、運転モード判定手段１０２は除湿機の運転モードを判定する。この運転モード判定手段１０２からの出力データに基づいて、駆動手段１０９が制御される。また、駆動手段１０９は、除湿ファン１１０、ロータモータ１１１、再生ファン１１２および再生ヒータ１１３を駆動させる。
【００１５】
図１５に示した運転スイッチ１０５、連続除湿スイッチ１０６および自動除湿スイッチ１０７は、図１４においては図示していないが除湿機の本体に設置されている操作パネル上に配置される。また、再生ファン１１２、除湿ファン１１０などの除湿機を構成するそれぞれの機器は、除湿機に内蔵された制御手段１０１としての制御装置によりその動作を制御されている。
【００１６】
ここで、運転スイッチ１０５は、除湿機の起動および停止を行なうためのスイッチである。また、連続除湿スイッチ１０６がオン状態となっている場合は、除湿機においてはいわゆる連続除湿運転が行われる。すなわち、運転スイッチ１０５が押され、除湿機が運転状態となった後、連続除湿スイッチ１０６が選択されると、制御手段１０１において、温度センサ１０８からの信号にかかわらず除湿ファン１１０、ロータモータ１１１、再生ファン１１２、再生ヒータ１１３などを連続的に運転する（いわゆる連続運転状態となる）。この結果、除湿機が設置された室内の湿度などに関係なく、連続的に除湿運転を行なう。
【００１７】
また、自動除湿スイッチ１０７が選択された場合には、制御手段１０１において除湿機が設置された室内の湿度に応じて自動的に除湿機の運転モードを切替えるいわゆる自動運転が行われる。この自動運転においては、湿度センサ１０８により検出された室内の湿度データの測定値が運転モード判定手段１０２に入力される。運転モード判定手段１０２においては、湿度センサ１０８からの湿度データの測定値と、予め設定された湿度データの基準値とを比較することにより、除湿機の運転モードを決定する。そして、運転モード判定手段１０２において除湿機の運転モードが決定されると、そのデータは駆動手段１０９へと伝送される。この結果、駆動手段１０９から除湿ファン１１０、ロータモータ１１１、再生ファン１１２、再生ヒータ１１３などのそれぞれの機器へ制御信号が伝送され、これらの機器が所定の動作を行なうことにより除湿機の運転モードが変更される。
【００１８】
上述の自動運転において、たとえば除湿機外部の湿度が徐々に低下すると、除湿機の運転モードがより湿度が低い雰囲気に対応したモードへと切替わる。この場合、湿度センサ１０８により検出される湿度データの測定値が所定の基準値より低くなったタイミングで、駆動手段１０９を制御することにより再生ヒータ１１３への供給電力値が低下すると同時に、再生ファン１１２および除湿ファン１１０における送風量が低下する。
【００１９】
また、運転スイッチ１０５が再度押され、停止状態が選択されると、除湿機がいわゆるアフターパージ運転などの所定の動作を行なった後その動作を停止する。
【００２０】
アフターパージ運転では、停止状態が選択されるとすぐに運転モード判定手段１０２から駆動手段１０９へ、再生ヒータ１１３への電力供給を停止する制御を行なうように制御信号が送信される。この結果、再生ヒータ１１３への電力の供給は停止する。また、同様に駆動手段１０９を制御することにより、除湿ファン１１０の送風量を最小値に設定する。なお、このときロータモータ１１１なども同様に動作を続けている。一方、タイマ１０４において停止状態が選択された後、時間をカウントして所定の時間が経過した時点で、除湿ファン１１０やロータモータ１１１などその他の機器の電源を切る。
【００２１】
【発明が解決しようとする課題】
上述した従来の除湿機においては、以下のような問題があった。すなわち、従来の除湿機では、たとえば自動除湿運転において、上記のように運転条件をより低い湿度の雰囲気に適合するような条件へと変更する際、除湿ファン１１０と再生ヒータ１１３、再生ファン１１２などの設定値がほぼ同時に切替わっていた。具体的には、再生ヒータ１１３での発熱量がより小さくなるように、再生ヒータ１１３への供給電力量が小さくなると同時に、除湿ファン１１０における送風量も低下していた。
【００２２】
しかし、図１４を参照して、再生ヒータ１１３への供給電力量をより小さな値に切替えた時点では、再生ヒータ１１３から除湿ロータ１１５の再生部１２７を介して凝縮器１１８までに存在する再生空気および除湿ロータ１１５の温度は、除湿機の運転条件が切替わる前の条件に対応して、比較的高温になっている。一方、除湿ファン１１０での送風量は切替え後の運転条件に対応して、切替え前の値より小さくなっている。このため、除湿機から排出される乾燥空気１１９の風量も小さくなるので、除湿機の内部から外部へと排出される熱量が結果的に少なくなる。この結果、再生空気や除湿ロータ１１５の熱を充分に除湿機の外部に排出することができない状態が発生する。上記の内容をさらに具体的に示す。図１６〜１８は、従来の除湿機において発熱量と空気の供給量とを同時に切替えたときの乾燥空気温度の時間変化を示すグラフである。図１６〜１８を参照して、それぞれ縦軸は乾燥空気温度Ｔを示し、横軸は時間ｔを示す。なお、発熱量と空気の供給量とは時点ａにおいて切替えられている。
【００２３】
運転条件切替前後での安定時の乾燥空気温度Ｔは、それぞれ加熱手段としての再生ヒータ１１３での発熱量の設定と、送風手段としての除湿ファン１１０での空気の供給量の設定とにより変化する。たとえば、図１６では、運転条件の切替前後における発熱量の低下の割合より、空気の供給量の低下の割合の方が小さい場合を示している。この場合、図１６に示すように、運転条件切替後の安定時の乾燥空気温度Ｔの値は、運転条件切替前より低くなる。また、図１７では、運転条件の切替前後における発熱量の低下の割合より、空気の供給量の低下の割合の方が大きい場合を示している。この場合、図１７に示すように、運転条件切替後の安定時の乾燥空気温度Ｔの値は、運転条件切替前より高くなる。また、図１８では、運転条件の切替前後における発熱量の低下の割合と、空気の供給量の低下の割合とがほぼ等しい場合を示している。この場合、図１８に示すように、運転条件切替後の安定時の乾燥空気温度Ｔの値は、運転条件切替前での安定時の値とほぼ等しくなる。そして、図１６〜１８に示したいずれの場合においても、上述のように再生空気や除湿ロータ１１５の熱を充分に除湿機の外部に排出できない状態が発生するため、運転条件切替え時に乾燥空気温度が一時的に上昇する。このため、除湿機の内部の温度が過剰に上昇する。
【００２４】
本発明は、上記のような課題を解決するためになされたものであり、この発明の目的は、除湿機の運転切替時での過剰な温度上昇を防止することが可能な除湿機を提供することである。
【００２５】
【課題を解決するための手段】
この発明による除湿機は、空気中の水分を吸着する吸湿体と、吸湿体に吸着した水分を離脱させるための気体を加熱する加熱手段と、吸湿体に外部から空気を供給する送風手段とを備え、吸湿体が回転移動することにより水分の吸着と離脱とを繰返し、連続的に除湿を行なう除湿機であって、加熱手段および送風手段の運転条件を比較的除湿能力の高い条件である第１の条件から相対的に除湿能力の低い条件である第２の条件に変更する際、加熱手段の運転条件設定値を第１の条件における値から第２の条件における値へ変更した後、送風手段による空気の供給量を第１の条件における値に所定の時間維持してから、送風手段による空気の供給量を第２の条件における値へと変更する制御手段を備える。
【００２６】
ここで、除湿機の運転条件が、比較的除湿能力の高い条件、言わば、発熱量が大きく、空気の供給量が大きい条件（第１の条件）から、相対的に除湿能力の低い条件、言わば、発熱量が小さく、空気の供給量が小さい条件（第２の条件）に変更される場合を考える。この場合、加熱手段は除湿能力に合わせて運転条件設定値を変更する（たとえば、加熱手段での発熱量などを除湿能力に適合するように小さくする）。しかし、このような運転条件の切替え直後には、上記第１の条件（切替え前の運転条件）にて加熱手段により加熱された除湿ロータの熱や気体が除湿機の内部にまだ残存している。そのため、従来のように加熱手段の切替えと同時に送風手段による空気の供給量を変更すると、第１の条件にて加熱された除湿機内部の除湿ロータや気体の熱を除湿機の外部に充分に排出することは難しかった。しかし、本発明によれば、加熱手段の運転条件設定値を切替えた後、所定の時間だけ送風手段による空気の供給量を第１の条件に対応する値に維持するので、加熱手段の運転条件を切替えた直後において除湿機の内部に充分な空気を供給できる。したがって、除湿機の運転条件を切替えた際に除湿機の内部に残存する熱を、送風手段により供給される空気により確実に除湿機の外部に排出することができる。このため、除湿機の運転条件を切替える際、除湿機の内部の温度が過剰に上昇することを防止できる。
【００２７】
この発明による除湿機は、吸湿体に供給された後、除湿機の外部に排出される空気の温度を測定する温度測定手段をさらに備えることが好ましい。制御手段は、加熱手段の運転条件設定値が変更された時点から送風手段での空気の供給量が変更される時点までの時間を、温度測定手段により測定される空気の温度の測定値に基づいて決定する決定手段を含むことが好ましい。
【００２８】
ここで、除湿機の外部に排出される空気の温度は、除湿機の内部の温度を反映している。そのため、この温度測定手段により測定される空気の温度の測定値により、除湿機の内部温度が過剰に上昇しているかどうかを判別できる。したがって、温度測定手段により測定される空気の温度の測定値に基づいて、除湿機の内部の熱が送風手段により除湿機内部に供給される空気によって除湿機の外部に充分放出されるように、加熱手段の運転条件設定値が変更された時点から送風手段での空気の供給量が変更される時点までの時間（空気供給量維持時間）を決定できる。
【００２９】
この発明による除湿機では、決定手段が、温度測定手段により測定される空気の温度の測定値が空気の温度の基準値とほぼ等しくなる時点を、送風手段での空気の供給量が変更される時点として選択する手段を含むことが好ましい。
【００３０】
ここで、上述のように除湿機の運転条件が比較的除湿能力の高い条件（第１の条件）から相対的に除湿能力の低い条件（第２の条件）に変更される場合を考える。このとき、送風手段による空気の供給量を変更させる時点としての基準値は次のように選定する。すでに述べたように、運転切替前後での安定時の乾燥空気温度は各運転条件での加熱手段の発熱量と送風手段の空気の供給量の設定により変化する。図１３は、除湿機を第１の条件で運転し、時点ｂにおいて加熱手段による発熱量を第２の運転条件に対応する発熱量に変更する一方、送風手段による送風量は第１の運転条件に対応する送風量としたときの、乾燥空気温度の時間変化を示すグラフである。このように、第２の運転条件に対応する発熱量と、第１の運転条件に対応する送風量とにより実現する安定状態での乾燥空気温度Ｔｓを基準値とすればよい。そして、上記のように温度の測定値と基準値とを比較することによって測定値が基準値とほぼ等しくなった時点を検出するという簡便な手法により、送風手段による空気の供給量を変更する時点を決定できる。
【００３１】
この発明による除湿機では、加熱手段の運転条件設定値における第２の条件に対応する値は第１の条件に対応する値より小さいことが好ましく、送風手段による空気の供給量における第２の条件に対応する値は第１の条件に対応する値より小さいことが好ましい。
【００３２】
このような場合、運転条件切替え時に除湿機の内部において特に過剰な温度上昇が起きる危険性があるので、本発明を適用する効果が大きい。
【００３３】
【発明の実施の形態】
以下、図面に基づいて本発明の実施の形態を説明する。なお、以下の図面において同一または相当する部分には同一の参照番号を付し、その説明は繰返さない。
【００３４】
（実施の形態１）
図１は、本発明による除湿機の実施の形態１を示す制御ブロック図である。図１を参照して、本発明による除湿機の実施の形態１を説明する。
【００３５】
図１を参照して、除湿機は、この除湿機の運転を制御するための制御手段１を備える。制御手段１は運転モード判定手段２と風量設定変更手段３とタイマ４とを含む。運転モード判定手段２には、運転スイッチ５、連続除湿スイッチ６、自動除湿スイッチ７および湿度センサ８が接続されている。後述するように、これらの運転スイッチ５、連続除湿スイッチ６、自動除湿スイッチ７および湿度センサ８からの入力信号に基づいて、運転モード判定手段２は除湿機の運転モードを判定する。この運転モード判定手段２からの出力データに基づいて、風量設定変更手段３は駆動手段９を制御する。また、運転モード判定手段２からのデータは直接駆動手段９にも伝送されている。制御手段１においては、後述する制御方法において示すように、風量設定変更手段３へと所定のタイミングを通知するためのタイマ４が設置されている。駆動手段９は、除湿ファン１０、ロータモータ１１、再生ファン１２および再生ヒータ１３を駆動させる。
【００３６】
図２は、図１に示した本発明による除湿機の実施の形態１の構成例を示す模式図である。図２を参照して、図１に示した除湿機の構成例を説明する。
【００３７】
図２を参照して、除湿機は除湿ロータ１５と、送風手段としての除湿ファン１０と、再生ファン１２と、加熱手段としての再生ヒータ１３と、凝縮器１８とを備える。除湿ロータ１５は平面シートに片波成形体を接合したハニカムロータと、このハニカムロータの表面や内部に保持された吸湿体としての吸湿剤とからなる。吸湿剤としてはたとえばゼオライトを用いることができる。ゼオライトは潮解現象を起こさず、結晶質で安定した細孔構造を有する。このため、ゼオライトは水分を吸着させた際に劣化の度合いが小さく、長期間安定して吸湿作用を発揮させることができる。
【００３８】
除湿機においては、この除湿ロータ１５に除湿機の外部から除湿対象である被除湿空気１６を導入して、その被除湿空気１６中の水分を除湿ロータ１５の吸湿剤に吸着させる。したがって、除湿機の内部に被除湿空気１６としての外気を導入すため、除湿ファン１０が設置されている。この除湿ファン１０が作動することにより、被除湿空気１６が除湿機の内部へと導入される。この被除湿空気１６は、まず除湿機に設置されたフィルタ１７を通過する。この結果、被除湿空気１６に含まれる比較的サイズの大きなごみなどが除去される。
【００３９】
次に、被除湿空気１６は凝縮器１８を通過する。ここで、後で述べるように凝縮器１８内部には暖かく湿った再生空気が導入されている。このため、この被除湿空気１６が凝縮器１８を通過することにより、この凝縮器１８の内部に配置された再生空気を冷却することができる。このように冷却された再生空気からは結露水２１が分離される。凝縮器１８の内部から結露水２１は配管を通って受水タンク２２へと蓄積される。
【００４０】
凝縮器１８を通過した被除湿空気１６は除湿ロータ１５へと導かれる。この除湿ロータ１５において、被除湿空気１６に含有されていた水分が除湿ロータ１５に保持される吸湿剤に吸着される。この結果、被除湿空気１６から水分が除去される。このように水分が除去された被除湿空気１６は、この除湿ロータ１５の下流側において乾燥空気１９となっている。乾燥空気１９は、除湿ロータ１５の下流側に配置された熱回収用熱交換器２０に導かれる。この熱回収用熱交換器２０において乾燥空気１９の熱が回収される（乾燥空気１９から再生空気へと熱が伝えられる）。その後、乾燥空気１９は除湿機の内部から外部へと排出される。
【００４１】
再生ヒータ１３は、水分を吸着した除湿ロータ１５の吸湿剤を再生させるために用いる再生空気を加熱する。再生空気は、再生ヒータ１３、除湿ロータ１５の再生部２７、凝縮器１８、熱回収用熱交換器２０および再生ファン１２をつなぐ管路中を流通する。再生空気１３での再生空気の加熱温度はたとえば２００℃以上２５０℃以下とすることができる。このような温度に再生空気を加熱した後、再生ファン１２が動作することにより管路中を図中白抜きの矢印の方向に再生空気は移動する。すなわち、再生ヒータ１３において加熱された再生空気は管路を通って除湿ロータ１５の再生部２７へと供給される。再生ヒータ１３により加熱された再生空気により、除湿ロータ１５の再生部２７において除湿ロータ１５の吸湿剤が加熱される。このようにして、吸湿剤から水分を除去する。この結、果再生空気は暖かく湿った空気となる。
【００４２】
そして、再生空気は管路を通って除湿ロータ１５の再生部２７から凝縮器１８へと供給される。この凝縮器１８において、既に述べたように被除湿空気１６によって再生空気が冷却されることにより、再生空気中の水分が結露する。この結果、凝縮器１８の内部において結露水２１が発生する。
【００４３】
凝縮器１８から受水タンク２２に導かれた結露水２１は、揚水ポンプ２３により揚水チューブ２４を介して貯水タンク２５へと搬送される。この受水タンク２２においては、受水タンク中の水位を検出する水位検出手段（図示せず）が設置されている。水位検出手段としてはたとえばフロートスイッチを用いることができる。そして、受水タンク２２内部の水位が所定の水位となったことを水位検出手段により検出すると、揚水ポンプ２３を動作させることにより受水タンク２２中の水を貯水タンク２５へと排出する。
【００４４】
また、除湿ロータ１５に保持される吸湿剤を再生するために用いられた再生空気は、除湿ロータ１５の再生部２７から凝縮器１８に導かれる。そして、再生空気は凝縮器１８において水分を除去された後（乾燥された後）、管路を介して熱回収用熱交換器２０へと導入される。熱回収用熱交換器２０には、除湿ロータ１５の除湿部２６を通過した乾燥空気が吹き付けられる。
【００４５】
ここで、除湿ロータ１５の再生部２７には、再生ヒータ１３により加熱された再生空気が吹付けられている。この結果、除湿ロータ１５の再生部２７に位置する除湿ロータ部分は加熱された状態となっている。この加熱された除湿ロータ部分が除湿部２６にまで到達した際にも、この除湿ロータ部分の温度はある程度高い状態となっている。そして、このようにある程度高い温度となっている除湿ロータ部分を被除湿空気１６が通過するので、除湿後の乾燥空気１９はこの除湿ロータによって暖められ、温度が上昇している。
【００４６】
熱回収用熱交換器２０において、このように温度が上昇した乾燥空気１９の熱を再生空気へと伝達する。熱回収用熱交換器２０において再生空気の温度を予め上昇させることにより、再生ヒータ１３の消費電力（再生空気を所定の温度にまで昇温するために用いられる電力）を低減することができる。
【００４７】
除湿ロータ１５は駆動モータとしてのロータモータ１１（図１参照）により、図２の黒矢印で示すように回転可能となっている。除湿ロータ１５が回転することにより、被除湿空気１６が通過する除湿ロータ１５の除湿部２６に位置する除湿ロータ部分は、この除湿部２６から回転移動して再生部２７へと徐々に移動する。そして、この再生部２７において上述のように再生ヒータ１３によって加熱された再生空気が吹付けられることにより、除湿ロータ１５の吸湿剤から水分が除去される（除湿剤はふただび充分な吸湿能力を備えることになる）。そして、水分が除去されて吸湿能力を取り戻した（再生された）除湿剤を保持した除湿ロータ部分は、また回転移動することにより除湿部２６へと移動する。この結果、除湿ロータ１５上の吸湿剤は水分の吸着と再生とを繰返し、連続的に除湿を行なうことが可能になる。
【００４８】
図１に示した運転スイッチ５、連続除湿スイッチ６および自動除湿スイッチ７は、図２においては図示していないが除湿機の本体に設置されている操作パネル上に配置される。また、図２に示した再生ファン１２、除湿ファン１０などの除湿機を構成するそれぞれの機器は、除湿機に内蔵された制御手段１としての制御装置により制御されている。
【００４９】
ここで、運転スイッチ５は、除湿機の起動および停止を行なうためのスイッチである。また、連続除湿スイッチ６がオン状態となっている場合は、除湿機においていわゆる連続除湿運転が行われる。すなわち、運転スイッチ５が押され、除湿機が運転状態となった後、連続除湿スイッチ６が選択されると、制御手段１において、湿度センサ８からの信号にかかわらず除湿ファン１０、ロータモータ１１、再生ファン１２、再生ヒータ１３などを連続的に運転する（いわゆる連続除湿運転状態となる）。この結果、除湿機が設置された室内の湿度などに関係なく、除湿機では連続的に除湿運転を行なう。
【００５０】
また、自動除湿スイッチ７が選択された場合には、制御手段１において除湿機が設置された室内の湿度に応じて自動的に除湿機の運転モードを切替える、いわゆる自動除湿運転が行われる。この自動除湿運転においては、湿度センサ８により検出された室内の湿度情報を運転モード判定手段２に伝送する。運転モード判定手段２においては、湿度センサ８から伝送された湿度情報と、予め設定された湿度の基準値とを比較することにより、除湿機の運転モードを決定する。そして、運転モード判定手段２において除湿機の運転モードが決定されると、運転モード判定手段２から所定の信号が風量設定変更手段３および駆動手段９へ伝送される。この結果、駆動手段９から除湿ファン１０、ロータモータ１１、再生ファン１２、再生ヒータ１３などのそれぞれの機器へ制御信号が伝送される。そして、これらの機器が所定の動作を行なうことにより、決定された運転モードに対応するように除湿機の各機器が動作する。
【００５１】
運転スイッチ５が再度押されることにより、停止状態が選択されると、除湿機が後述するアフターパージ運転などの所定の動作を行なった後その動作を停止する。
【００５２】
以下、図１および２に示した本発明による除湿機の動作をより詳しく説明する。
【００５３】
（１）  連続除湿運転モードからアフターパージ運転に切替わる場合の除湿機の動作
除湿機の運転スイッチ５が押されて除湿機が起動した後、連続除湿スイッチ６が選択されると、除湿機の運転モードが連続除湿運転モードになる。この連続除湿運転モードでは、除湿機が設置された室内の湿度（湿度センサ８により検出される湿度情報）とは関係なく連続して除湿運転が実施される。この連続除湿運転モードの場合の再生ヒータ出力を出力Ｗ３とし、除湿ファンの風量を風量Ｑ３とする。連続除湿運転モードにおいては、除湿機の運転停止が選択されるまで、再生ヒータの出力および除湿ファンの風量はともに上述のような一定値に維持される。
【００５４】
図３は、図１および図２に示した除湿機において連続除湿運転モードからアフターパージ運転に切替わる場合の再生ヒータの出力の時間変化を示すグラフである。また、図４は、連続除湿運転モードからアフターパージ運転に切替わる場合の除湿ファンの風量の時間変化を示すグラフである。
【００５５】
図３および４を参照して、時点Ａにおいて運転スイッチ５が押され、除湿機の動作の停止が指示された場合を考える。この場合、運転スイッチ５が押されたという信号が運転モード判定手段２に伝送されると、運転モード判定手段２において除湿機の運転モードを連続除湿運転モードから除湿機の動作を停止させる前処理としてのアフターパージ運転へと切替えるように風量設定変更手段３へ信号が伝送される。また、運転モード判定手段２から同様の信号が駆動手段９にも伝送される。連続除湿運転モードからアフターパージ運転へと切替わるという信号を受けた駆動手段９では、再生ヒータ１３への電力供給を停止する。この結果、図３に示すように時点Ａにおいて再生ヒータ１３の出力は出力Ｗ３から０へと変化する。
【００５６】
一方、除湿ファン１０については、以下のような制御が行われる。すなわち、アフターパージ運転に切替わるという信号が運転モード判定手段２から発信された際、制御手段１のタイマ４において、時点Ａを起点として除湿ファン１０の風量を連続除湿運転モードの場合の風量Ｑ３のまま維持する時間ｔｂと、時点Ａから除湿ファンの風量を０として除湿機の運転を完全に停止するまでの時間ｔａとをカウントする。時点Ａ以後も除湿ファン１０の風量は時点Ａ以前の値に維持される。時点Ａから時間ｔｂだけ経過した時点Ｂになった際には、タイマ４から風量設定変更手段３に時点Ｂになった旨の情報が伝送される。そして、風量設定変更手段３から駆動手段９へと所定の制御信号が伝送されることにより、除湿ファン１０の風量を時点Ｂにおいて風量Ｑ３からアフターパージ運転に対応した風量Ｑ１へと変更する。
【００５７】
このように、加熱手段としての再生ヒータ１３の運転条件設定値である出力を出力Ｗ３から０へと切替えた後、所定の時間ｔｂだけ送風手段としての除湿ファン１０による空気の供給量を時点Ａより前の時点における値（すなわち、第１の条件に対応する値）に維持することになる。このため、再生ヒータ１３の運転条件を切替えた直後において、除湿ファン１０により除湿機の内部に充分な空気を供給できる。したがって、除湿機の運転条件を切替える際に除湿機の内部に残存する熱を、除湿ファン１０により供給される空気により確実に除湿機の外部に排出することができる。このため、除湿機の運転条件を連続除湿運転モードからアフターパージ運手に切替える際、除湿機の内部の温度が過剰に上昇することを防止できる。
【００５８】
その後、除湿ファン１０においては、アフターパージ運転が終了する時点である時点Ｃまでこの風量Ｑ１を維持する。そして、時点Ａから時間ｔａが経過したという情報がタイマ４から風量設定変更手段３へと伝送されると、風量設定変更手段３から駆動手段９へと除湿ファン１０の風量を風量Ｑ１から０へと変更するように信号が伝送される。この結果、時点Ｃにおいて除湿ファン１０の動作が停止する。
【００５９】
なお、ここで時間ｔｂ、ｔａは、除湿機の構成や除湿機の運転条件などによって変化するが、基本的に除湿機内部の機器が熱による変形などの悪影響を受けない程度の温度に除湿機の内部温度を維持できるように、時間ｔｂ、ｔａは選択される。このような時間ｔａ、ｔｂは、実験的に求めることができる。
【００６０】
また、図３および４を用いて説明した運転条件においては、時点Ａから時点Ｂまで除湿ファン１０の風量を風量Ｑ３に維持した後、時点Ｂから時点Ｃまでの間は除湿ファン１０の風量を風量Ｑ１というアフターパージ運転における風量に変更した。しかし、本発明による除湿機では、時間ｔｂの長さを時間ｔａと同じにする、すなわちアフターパージ運転が終了する時点である時点Ｃまで除湿ファン１０の風量を風量Ｑ３のまま維持してもよい。
【００６１】
（２）  自動除湿運転モードの場合
除湿機の運転スイッチ５が押されることにより除湿機が起動した後、自動除湿スイッチ７が選択されると、運転モード判定手段２において自動除湿運転モードが選択される。この自動除湿運転モードにおいては、湿度センサ８からの湿度の測定値（湿度データ）と、予め定められた湿度の設定値とを比較して除湿機の運転状態を変更する。この湿度センサ８からの湿度データと湿度の設定値との比較は、たとえば図５に示したような考え方に基づいて行われる。図５は、自動除湿運転モードにおける湿度の設定値（設定湿度）と、運転条件（運転モード）との関係を示す模式図である。
【００６２】
運転モード判定手段２においては、湿度センサ８からの湿度データの値が設定湿度ＲＨ１以上である場合、除湿機の運転モードは自動除湿『強』モードに決定される。湿度センサ８からの湿度データの値が、設定湿度ＲＨ１より小さく設定湿度ＲＨ２以上である場合、除湿機の運転モードは自動除湿『中』モードに決定される。湿度センサ８からの湿度データが、設定湿度ＲＨ２より小さく設定湿度ＲＨ３以上である場合には、除湿機の運転モードは自動除湿『弱』と決定される。そして、湿度センサ８からの室内の湿度データが、設定湿度ＲＨ３より小さい場合には、除湿機の運転モードは自動除湿『ＯＦＦ』と決定される。
【００６３】
なお、各運転モードにおける再生ヒータ、除湿ファンおよびロータモータや再生ファンなどの出力条件を表１に示す。
【００６４】
【表１】
0003673187.tif 000002
【００６５】
また、表１における除湿ファンの出力条件に対応する設定風量を表２に示す。
【００６６】
【表２】
0003673187.tif 000003
【００６７】
また、表１における再生ヒータの出力条件に対応する再生ヒータでの出力（設定Ｗ数）を表３に示す。
【００６８】
【表３】
0003673187.tif 000004
【００６９】
上述のような自動除湿運転モードにおいて、除湿機が設置された室内の湿度が徐々に低下していき、除湿機の運転モードが自動除湿『強』から『中』、『弱』へと切替わる場合の除湿機の動作を図６および７を参照して説明する。図６は、自動除湿運転モードにおいて運転モードが変化する場合における再生ヒータの出力の時間変化を示すグラフであり、図７は、自動除湿運転モードにおいて運転モードが変化する場合における除湿ファンの風量の時間変化を示すグラフである。図６と図７とは同じタイミングにおける再生ヒータの出力と除湿ファンの風量とをそれぞれ示している。
【００７０】
まず、室内の湿度が、設定湿度ＲＨ１（図５参照）よりも高い値である場合を考える。除湿機が自動除湿運転モードに設定されている場合、室内の湿度に適合する運転モードである自動除湿『強』モードにおいて除湿機が運転される。このとき、再生ヒータの出力Ｗは、図６に示すように出力Ｗ３であり、除湿ファンの風量Ｑは、図７に示すように風量Ｑ３となっている。そして、除湿機の運転を継続することにより室内の湿度は徐々に低下する。
【００７１】
上記のように除湿機の運転を継続している状態で、時点Ｄにおいて室内の湿度が設定湿度ＲＨ１よりも低くなる場合を考える。このとき、湿度センサ８により検出された湿度データは、設定湿度ＲＨ１よりも低くなるので、運転モード判定手段２は運転モードを自動除湿『強』から自動除湿『中』へと変更する。この結果、既に説明したように運転モード判定手段２から風量設定変更手段３および駆動手段９へと所定の信号が伝送されることにより、図６に示すように再生ヒータ１３の出力は時点Ｄにおいて出力Ｗ３から出力Ｗ２へと低下する。このとき、図７に示すように除湿ファン１０の風量は風量Ｑ３のまま維持される。また、制御手段１におけるタイマ４は、時点Ｄから除湿ファン１０の風量を自動除湿『強』の風量である風量Ｑ３のまま維持する時間である時間ｔｂのカウントを始める。
【００７２】
そして、時点Ｄから時間ｔｂだけ経過した時点Ｅにおいて、タイマ４から時間ｔｂが経過したという信号を受けた風量設定変更手段３は、駆動手段９を介して除湿ファン１０を制御する。この結果、除湿ファン１０の風量Ｑは、時点Ｅにおいて風量Ｑ３から風量Ｑ２へと低下する。時点Ｅ以降は自動除湿『中』の運転条件で除湿機の運転が継続される。このように除湿機の運転を継続することにより、除湿機が設置された室内の湿度がさらに低下していく。
【００７３】
このように、時点Ｄにおいて再生ヒータ１３の出力が出力Ｗ３から出力Ｗ２へ低下した後、時間ｔｂだけ除湿ファン１０の風量を風量Ｑ３に維持することにより、すでに述べた連続除湿運転モードからアフターパージ運転に切替わる場合と同様に、除湿機の内部の温度が過剰に上昇することを防止できる。
【００７４】
次に、時点Ｆにおいて、湿度センサ８によって検出される室内の湿度が設定湿度ＲＨ２よりも低くなると、上述の場合と同様に運転モード判定手段２において除湿機の運転モードを自動除湿『中』から自動除湿『弱』へと変更する。そして、運転モード判定手段２から風量設定変更手段３および駆動手段９へと所定の信号が伝送される。この結果、時点Ｆにおいて再生ヒータ１３へ供給される電力が減少する。このため、図６に示すように再生ヒータの出力Ｗは、時点Ｆにおいて出力Ｗ２から出力Ｗ１へと低下する。一方、除湿ファン１０の風量は風量Ｑ２に維持される。
【００７５】
また、この時点Ｆから制御手段１におけるタイマ４は時間ｔｂのカウントを開始する。そして、時点Ｆから時間ｔｂだけ経過した時点Ｇにおいて、タイマ４から時間ｔｂが経過したという信号を受取った風量設定変更手段３は、駆動手段９へ所定の信号を伝送する。この結果、時点Ｇにおいて、信号を受信した駆動手段９により除湿ファン１０が制御され、除湿ファン１０の風量Ｑが風量Ｑ２から風量Ｑ１へと低下する。時点Ｇ以降は、自動除湿『弱』の運転条件で除湿機の運転を継続する。
【００７６】
このように、除湿機の運転条件を自動除湿『中』から自動除湿『弱』へと切替える場合においても、再生ヒータ１３の出力を出力Ｗ２から出力Ｗ１へ切替えた後、所定の時間である時間ｔｂだけ除湿ファン１０の風量を風量Ｑ２のまま維持することにより、除湿機の運転条件を自動除湿『強』から自動除湿『中』に切替える場合と同様に除湿機の内部の温度が過剰に上昇することを防止できる。
【００７７】
（３）  自動除湿運転モードからアフターパージ運転に切替わる場合
自動除湿運転モードからアフターパージ運転に切替わる場合は、再生ヒータ１３の出力および除湿ファン１０の風量が連続除湿運転モードの場合と異なっているのみで、上記（１）において説明した動作と同様の動作を行なう。この場合、上記（１）において説明した本願発明の効果と同様の効果を得ることができる。
【００７８】
上述した除湿機において、再生ヒータ１３の出力を変化させた後、除湿ファン１０の風量を運転モードの切替え前の状態のまま維持する時間ｔｂは、運転モードの切替えに伴って除湿機の内部の温度が必要以上に上昇しないような時間に決定される。この時間ｔｂの決定方法としては、たとえば実験的に除湿機の内部の温度を測定しながらこの時間ｔｂの温度を変更して除湿機の内部の温度を測定することにより決定することができる。また、この時間ｔｂは、除湿機が設置された領域の温度や、再生ヒータ１３の出力、除湿ファン１０の風量などによっても変化させることが好ましい。
【００７９】
たとえば、除湿機が設置された室内の温度が０℃以上３５℃以下、再生ヒータ１３の出力が３８５Ｗ以上５７５Ｗ以下、除湿ファンの風量Ｑ３が１．７１ｍ3／分以上２．１ｍ3／分以下、風量Ｑ２が１．１４ｍ3／分以上１．４７ｍ3／分以下、風量Ｑ１が０．７３ｍ3／分以上１．０９ｍ3／分以下というように設定した場合、時間ｔｂは４０秒以上とすることが好ましい。
【００８０】
（実施の形態２）
図８は、本発明による除湿機の実施の形態２の構成を示すブロック図である。図８を参照して、本発明による除湿機の実施の形態２を説明する。
【００８１】
図８を参照して、除湿機は基本的には本発明による除湿機の実施の形態１と同様の構造を備える。ただし、図８に示した除湿機には除湿機から排出される乾燥空気１９の温度を検出する排気センサ１４が設置されている。この排気センサ１４により検出される乾燥空気１９の温度データ（乾燥空気１９の温度の測定値）は制御手段１の風量設定変更手段３へ伝送される。そして、図８に示した除湿機においては、後述するようにこの排気センサ１４からの温度データを用いて除湿ファンの風量Ｑなどを制御する。
【００８２】
（１）  連続除湿運転モードからアフターパージ運転への切替えの場合
図９は、図８に示した除湿機において連続除湿モードからアフターパージ運転へと切替える際の乾燥空気の温度Ｔの時間変化を示すグラフである。また、図１０は、図８に示した除湿機において連続除湿運転モードからアフターパージ運転へと切替える際の除湿ファン１０の風量Ｑの時間変化を示すグラフである。図９および１０を参照して、連続除湿運転モードからアフターパージ運転へと切替える場合の除湿機の動作を説明する。
【００８３】
まず、本発明による除湿機の実施の形態１における連続除湿運転モードからアフターパージ運転への切替えの場合と同様に、再生ヒータ出力Ｗを出力Ｗ３、除湿ファンの風量Ｑを風量Ｑ３として運転する。このときの乾燥空気１９の温度Ｔは温度Ｔ１３である。
【００８４】
そして、時点Ｈにおいて、運転スイッチ５が押され、運転停止の指示が運転モード判定手段２へと伝送されると、本発明の実施の形態１での運転状態の切替え時と同様に再生ヒータ１３への電力供給は時点Ｈにおいて停止する。この結果、再生ヒータの出力Ｗは時点Ｈにおいて低下する。一方、制御手段１におけるタイマ４は、時点Ｈからアフターパージ運転を継続する時間ｔａをカウントし始める。また、この時点Ｈ以降も除湿ファンの風量Ｑは風量Ｑ３に保たれている。この結果、図９に示すように、時点Ｈから徐々に乾燥空気の温度Ｔは低下し始める。この乾燥空気の温度Ｔを温度測定手段としての排気センサ１４により検出する。
【００８５】
図９に示すように、乾燥空気１９の温度Ｔが温度Ｔ０にまで低下した時点Ｉにおいて、排気センサ１４から乾燥空気１９の温度がＴ０にまで低下したことを示す信号が風量設定変更手段３に伝送される。風量設定変更手段３では、時点Ｉが除湿ファン１０の風量を切替えるタイミングとして選択される。すると決定手段としての風量設定変更手段３から駆動手段９に所定の制御信号が伝送される。この結果、駆動手段９により除湿ファン１０を制御して、除湿ファン１０での風量を風量Ｑ３から風量Ｑ１に低下させる。なお、ここで除湿ファン１０の風量を変化させるための乾燥空気の基準温度は、表４に示すように設定される。なお、表５に各運転モードにおける安定時乾燥空気温度を示す。
【００８６】
【表４】
0003673187.tif 000005
【００８７】
【表５】
0003673187.tif 000006
【００８８】
このようにすれば、除湿機の運転条件を連続除湿運転モードからアフターパージ運転に切替える際、実施の形態１と同様に除湿機の内部の温度が過剰に上昇することを防止できる。
【００８９】
また、除湿機の外部に排出される乾燥空気１９の温度は、除湿機の内部の温度を反映している。そのため、この温度測定手段としての排気センサ１４により測定される空気の温度データにより、除湿機の内部温度が過剰に上昇しているかどうかを判別できる。したがって、排気センサ１４により測定される空気の温度データに基づいて、除湿機の内部の熱が除湿ファン１０により除湿機内部に供給される空気によって除湿機の外部に充分放出されるように、時点Ｈから時点Ｉまでの時間を決定できる。この結果、乾燥空気１９の温度Ｔの値を基準値である温度Ｔ０と比較するという簡便な手法により、除湿機の内部の温度が過剰に上昇することを確実に防止できる。
【００９０】
この後、時点Ｈから時間ｔａだけ経過した時点Ｊでアフターパージモードが終了する。このため、時点Ｊにおいて、風量設定変更手段３から駆動手段９へと除湿ファン１０の運転を停止するための制御信号が伝送される。この結果、時点Ｊにおいて除湿ファン１０が停止する。このように、除湿機の運転が停止する。
【００９１】
（２）  自動除湿運転モードの場合
図１１は、図８に示した除湿機を自動除湿運転モードで運転する際、除湿運転『強』→『中』→『弱』と運転モードが切替わり、運転切替え後の乾燥空気温度が運転切替え前よりも低くなる場合での乾燥空気温度の時間変化を示すグラフであり、図１２は、図８に示した除湿機を自動除湿運転モードで運転する際、除湿運転『強』→『中』→『弱』と運転モードが切替わる場合の除湿ファンの風量の時間変化を示すグラフである。図１１および図１２を参照して、自動除湿運転モードにおける除湿機の動作を説明する。
【００９２】
図１１および１２に示した運転モードの変更は、基本的には図６および７に示した運転モードの変更と同様である。ただし、図６および７において説明した場合においては、再生ヒータ１３の出力が切替わった後、再生ヒータ１３の出力が切替わる前の運転状態に対応する風量を除湿ファン１０が維持する時間である時間ｔｂは予め決められた値となっていた。しかし、図１１および１２に示したように、図８に示した除湿機では時間ｔｂは乾燥空気１９の温度に基づいて決定される。
【００９３】
すなわち、図８に示した除湿機においては、たとえば除湿運転『強』モードから除湿運転『中』モードへと運転条件が切替わる際に、まず時点Ｋにおいて再生ヒータの出力が出力Ｗ３から出力Ｗ２（図６参照）へと切替わる。一方、除湿ファンの風量は風量Ｑ３のまま維持される。排気センサ１４は乾燥空気１９の温度を測定する。そして、制御手段１においてこの排気センサ１４により測定された乾燥空気１９の温度を基準温度と比較する。除湿ファンの除湿運転『中』モードに対応する設定風量である風量Ｑ２へと除湿ファン１０の風量を切替える基準温度である温度Ｔ３にまで乾燥空気１９の温度が低下した時点Ｌにおいて、除湿ファンの風量が風量Ｑ３から風量Ｑ２へと切替わる。具体的には、排気センサ１４からの温度データが風量設定変更手段３へと伝送される。風量設定変更手段３において排気センサから伝送された温度データと設定温度とが比較されることにより、乾燥空気１９の温度が基準温度である温度Ｔ３と同一となったかどうかが判定される。そして、乾燥空気１９の温度が温度Ｔ３にまで低下した場合、風量設定変更手段３から駆動手段９へと除湿ファン１０の風量を風量Ｑ３から風量Ｑ２へと変更するように制御信号が転送される。この結果、時点Ｌにおいて図１２に示すように除湿ファンの風量が風量Ｑ３からＱ２へと変更される。
【００９４】
このようにすれば、除湿機の運転条件が除湿運転『強』から除湿運転『中』へ切替わる際、本発明の実施の形態２における連続除湿運転モードからアフターパージ運転への切替えの際に得られる効果と同様の効果を得ることができる。
【００９５】
この後、除湿機が除湿運転『中』モードにおいて運転を続行することにより、室内の湿度はさらに低下していく。そして、室内の湿度が湿度ＲＨ２に到達した時点である時点Ｍにおいて、本発明の実施の形態１と同様に再生ヒータの出力は出力Ｗ２からＷ１へと変更される。一方、除湿ファンの風量は風量Ｑ２を維持した状態のままである。そして、時点Ｍ以後、乾燥空気の温度は図１１に示すように徐々に低下していく。
【００９６】
その後、排気センサ１４により検出される乾燥空気の温度が除湿ファンの風量を風量Ｑ１へと変更する基準温度である温度Ｔ１と一致する時点Ｎにおいて、風量設定変更手段３から駆動手段９へと除湿ファン１０の風量を風量Ｑ２から風量Ｑ１へと変更するように制御信号が伝送される。この結果、時点Ｎにおいて除湿ファン１０の風量はＱ２から風量Ｑ１へと変更される。このようにして、除湿運転『中』モードから除湿運転『弱』モードへと運転状態の切替えが完了する。時点Ｎの後は、除湿運転『弱』モードのまま除湿機の運転が続行される。
【００９７】
このようにすれば、除湿機の運転条件が除湿運転『中』から除湿運転『弱』へ切替わる際、本発明の実施の形態２における連続除湿運転モードからアフターパージ運転への切替えの際に得られる効果と同様の効果を得ることができる。また、運転切替え後の乾燥空気の温度が、運転切替え前よりも高くなる場合や、変化ない場合においても過剰な温度上昇を防止できる。
【００９８】
（３）  自動除湿運転モードからアフターパージ運転に切替わる場合
この場合、図９および１０に示した工程と同様の工程により、自動除湿『強』、『中』および『弱』という運転モードからアフターパージ運転へと切替えることができる。ただし、この場合は切替える前の再生ヒータ１３の出力および除湿ファン１０の風量が図９および１０に示した出力および風量とは異なっているが、その他の運転条件は基本的には図９および１０において示した条件と同様の条件を用いることができる。この結果、除湿機の運転条件が自動除湿運転モードからアフターパージ運転へ切替わる際、本発明の実施の形態２における連続除湿運転モードからアフターパージ運転への切替えの際に得られる効果と同様の効果を得ることができる。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１００】
【発明の効果】
このように、本発明によれば、除湿機の運転を切替える際、外部からの供給風量が低下する運転になる場合では、先に加熱手段の運転条件設定値を切替えた後、一定時間送風手段による空気の供給量を運転条件切替え前の値に維持することで、除湿機の内部の過加熱を防止する事ができる。この結果、過加熱に起因する除湿機の故障を防止できる。
【図面の簡単な説明】
【図１】  本発明による除湿機の実施の形態１を示す制御ブロック図である。
【図２】  図１に示した本発明による除湿機の実施の形態１の構成例を示す模式図である。
【図３】  図１および図２に示した除湿機において連続除湿運転モードからアフターパージ運転に切替わる場合の再生ヒータの出力の時間変化を示すグラフである。
【図４】  連続除湿運転モードからアフターパージ運転に切替わる場合の除湿ファンの風量の時間変化を示すグラフである。
【図５】  図５は、自動除湿運転モードにおける湿度の設定値（設定湿度）と、運転条件（運転モード）との関係を示す模式図である。
【図６】  自動除湿運転モードにおいて運転モードが変化する場合における再生ヒータの出力の時間変化を示すグラフである。
【図７】  自動除湿運転モードにおいて運転モードが変化する場合における除湿ファンの風量の時間変化を示すグラフである。
【図８】  本発明による除湿機の実施の形態２の構成を示すブロック図である。
【図９】  図８に示した除湿機において連続除湿モードからアフターパージ運転へと切替える際の乾燥空気の温度の時間変化を示すグラフである。
【図１０】  図８に示した除湿機において連続除湿運転モードからアフターパージ運転へと切替える際の除湿ファンの風量の時間変化を示すグラフである。
【図１１】  図８に示した除湿機を自動除湿運転モードで運転する際、除湿運転『強』→『中』→『弱』と運転モードが切替わ切替わり、運転切替え後の乾燥空気温度が運転切替え前よりも低くなる場合での乾燥空気温度の時間変化を示すグラフである。
【図１２】  図８に示した除湿機を自動除湿運転モードで運転する際、除湿運転『強』→『中』→『弱』と運転モードが切替わる場合の除湿ファンの風量の時間変化を示すグラフである。
【図１３】  除湿機を第１の条件で運転し、時点ｂにおいて加熱手段による発熱量を第２の運転条件に対応する発熱量に変更する一方、送風手段による送風量は第１の運転条件に対応する送風量としたときの、乾燥空気温度の時間変化を示すグラフである。
【図１４】  従来の乾式除湿機の構成を示す模式図である。
【図１５】  図１４に示した乾式除湿機の制御ブロック図である。
【図１６】  従来の除湿機において発熱量と空気の供給量とを同時に切替えたときの乾燥空気温度の時間変化を示すグラフである。
【図１７】  従来の除湿機において発熱量と空気の供給量とを同時に切替えたときの乾燥空気温度の時間変化を示すグラフである。
【図１８】  従来の除湿機において発熱量と空気の供給量とを同時に切替えたときの乾燥空気温度の時間変化を示すグラフである。
【符号の説明】
１  制御手段、２  運転モード判定手段、３  風量設定変更手段、４  タイマ、５  運転スイッチ、６  連続除湿スイッチ、７  自動除湿スイッチ、８  湿度センサ、９  駆動手段、１０  除湿ファン、１１  ロータモータ、１２  再生ファン、１３  再生ヒータ、１４  排気センサ、１５  除湿ロータ、１６  被除湿空気、１７  フィルタ、１８  凝縮器、１９  乾燥空気、２０  熱回収用熱交換器、２１  結露水、２２  受水タンク、２３  揚水ポンプ、２４  揚水チューブ、２５  貯水タンク、２６  除湿部、２７  再生部。
【図１】
0003673187.tif 000007
【図２】
0003673187.tif 000008
【図３】
0003673187.tif 000009
【図４】
0003673187.tif 000010
【図５】
0003673187.tif 000011
【図６】
0003673187.tif 000012
【図７】
0003673187.tif 000013
【図８】
0003673187.tif 000014
【図９】
0003673187.tif 000015
【図１０】
0003673187.tif 000016
【図１１】
0003673187.tif 000017
【図１２】
0003673187.tif 000018
【図１３】
0003673187.tif 000019
【図１４】
0003673187.tif 000020
【図１５】
0003673187.tif 000021
【図１６】
0003673187.tif 000022
【図１７】
0003673187.tif 000023
【図１８】
0003673187.tif 000024